(57)【要約】  小型化を図ることができるヘッドアップディスプレイ装置を提供する。  本発明のヘッドアップディスプレイ装置は、表示光を出射する表示部と、表示部からの表示光をフロントガラスに向けて反射させる平面鏡ユニット（２０）と、平面鏡ユニット（２０）を保持する支持部を有する筐体と、を備える。平面鏡ユニット（２０）は、表示光を反射する鏡面（２８ａ）を含む平面鏡（２８）と、平面鏡（２８）を保持する鏡ホルダ（２７）と、を備える。鏡ホルダ（２７）は、鏡面（２８ａ）よりも表側に位置し、筐体の支持部に対する平面鏡ユニット（２０）の位置を決める位置決め部の一例である位置決め穴（２６ｇ，２６ｈ，２６ｊ，２６ｋ）を備える。
2020059621.tif 000002
【特許請求の範囲】
【請求項１】
表示光を出射する表示部と、  前記表示部からの前記表示光を被投射部材に向けて反射させる鏡ユニットと、  前記鏡ユニットを保持する支持部を有する筐体と、を備え、  前記鏡ユニットは、  前記表示光を反射する鏡面を含む鏡と、  前記鏡を保持する鏡ホルダと、を備え、  前記鏡ホルダは、前記鏡面よりも表側に位置し、前記筐体の前記支持部に対する前記鏡ユニットの位置を決める位置決め部を備える、  ヘッドアップディスプレイ装置。
【請求項２】
前記鏡ホルダの裏面は、前記ヘッドアップディスプレイ装置の外部に露出する、  請求項１に記載のヘッドアップディスプレイ装置。
【請求項３】
前記鏡ホルダは、前記位置決め部を有し、前記鏡面に対して表側に向けて突出し、前記鏡面の両側に位置する一対の突出部を備え、  前記突出部は、前記鏡面に対する前記表示光の入射方向に進むにつれて幅が小さくなるように形成される、  請求項１又は２に記載のヘッドアップディスプレイ装置。
【請求項４】
前記筐体の前記支持部は、前記表示光の光路に露出する筐体内側面を備え、  前記突出部は、前記筐体内側面と同一の平面上に前記筐体内側面と連続するように形成され、前記表示光の光路に露出するホルダ内側面を備える、  請求項３に記載のヘッドアップディスプレイ装置。
【請求項５】
前記筐体の前記支持部は、複数の位置決めピンを有し、  前記突出部は、  前記突出部の表側に位置し、前記支持部に面接触する位置決め面と、  高さ方向に対して傾斜し、前記表示光の光路に露出するホルダ内側面と、を備え、  前記位置決め面には、前記複数の位置決めピンが嵌まり、前記ホルダ内側面に沿って並ぶ前記位置決め部である第１及び第２の位置決め穴が形成され、  前記第１の位置決め穴は丸穴により形成され、  前記第２の位置決め穴は長穴により形成される、  請求項３又は４に記載のヘッドアップディスプレイ装置。
【発明の詳細な説明】
【技術分野】
【０００１】  本発明は、ヘッドアップディスプレイ装置に関する。
【背景技術】
【０００２】  従来から、表示光をフロントガラス等に照射することにより虚像を表示するヘッドアップディスプレイ装置が知られている。例えば、特許文献１に記載のヘッドアップディスプレイ装置は、表示光を反射させる平面鏡と、平面鏡を保持するホルダと、ホルダを背面側から支持する支持部と、を備える。
【先行技術文献】
【特許文献】
【０００３】
【特許文献１】特開２０１７−１７１０４１号公報
【発明の概要】
【発明が解決しようとする課題】
【０００４】  上記特許文献１に記載のホルダは、背面側から支持部により支持される。このため、ホルダの背面側の大型化、ひいては、ヘッドアップディスプレイ装置の大型化を招いていた。【０００５】  本発明は、上記実状を鑑みてなされたものであり、小型化を図ることができるヘッドアップディスプレイ装置を提供することを目的とする。
【課題を解決するための手段】
【０００６】  上記目的を達成するため、本発明の観点に係るヘッドアップディスプレイ装置は、表示光を出射する表示部と、前記表示部からの前記表示光を被投射部材に向けて反射させる鏡ユニットと、前記鏡ユニットを保持する支持部を有する筐体と、を備え、前記鏡ユニットは、前記表示光を反射する鏡面を含む鏡と、前記鏡を保持する鏡ホルダと、を備え、前記鏡ホルダは、前記鏡面よりも表側に位置し、前記筐体の前記支持部に対する前記鏡ユニットの位置を決める位置決め部を備える。
【発明の効果】
【０００７】  本発明によれば、ヘッドアップディスプレイ装置において、小型化を図ることができる。
【図面の簡単な説明】
【０００８】
【図１】本発明の一実施形態に係るヘッドアップディスプレイ装置が搭載された車両の模式図である。
【図２】本発明の一実施形態に係るヘッドアップディスプレイ装置の概略図である。
【図３】本発明の一実施形態に係るヘッドアップディスプレイ装置の斜視図である。
【図４】本発明の一実施形態に係るヘッドアップディスプレイ装置の斜視図である。
【図５】本発明の一実施形態に係る上ケースが取り外された状態のヘッドアップディスプレイ装置の斜視図である。
【図６】本発明の一実施形態に係る平面鏡ユニット及び筐体を示す斜視図である。
【図７】本発明の一実施形態に係る平面鏡ユニットの分解斜視図である。
【図８】本発明の一実施形態に係る鏡支持部材の斜視図である。
【図９】本発明の一実施形態に係る鏡支持部材の斜視図である。
【図１０】本発明の一実施形態に係る前面フレームの斜視図である。
【図１１】本発明の一実施形態に係る前面フレームの斜視図である。
【図１２】本発明の一実施形態に係る平面鏡ユニットの斜視図である。
【発明を実施するための形態】
【０００９】  本発明に係るヘッドアップディスプレイ装置の一実施形態について、図面を参照して説明する。
【００１０】  図１に示すように、ヘッドアップディスプレイ装置１００は、車両２００のダッシュボード内に設置される。ヘッドアップディスプレイ装置１００は、車両２００の被投射部材の一例であるフロントガラス２０１に向けて像を表す表示光Ｌを出射する。表示光Ｌはフロントガラス２０１で反射して視認者１（主に車両２００の運転者）に到達する。これにより、虚像Ｖが視認者１により視認可能に表示される。
【００１１】  図２に示すように、ヘッドアップディスプレイ装置１００は、表示部１０と、平面鏡ユニット２０と、凹面鏡３０と、凹面鏡駆動ユニット４０と、筐体６０と、を備える。  なお、以下の説明では、平面鏡ユニット２０の鏡面２８ａを正面から見たときの方向に基づき、左右、上下、表裏が規定されている。図３〜図１２においては、左はＬｆと略記され、右はＲｔと略記され、上はＵｐと略記され、下はＤｎと略記され、表はＦｒと略記され、裏はＢｋと略記される。また、左右方向はＸ方向と一致し、上下方向はＹ方向と一致し、表裏方向はＺ方向に一致する。
【００１２】  図２に示すように、表示部１０は、図示しない制御部による制御のもと、像を表す表示光Ｌを出射する。表示部１０は、例えば、何れも図示しない光源及び液晶表示パネルを備える。
【００１３】  平面鏡ユニット２０は、表示部１０が出射した表示光Ｌを凹面鏡３０に向けて反射させる。平面鏡ユニット２０の具体的な構成については後述する。
【００１４】  図２及び図５に示すように、凹面鏡３０は、Ｘ方向に長い略長方形の板状に形成され、Ｘ方向に沿って湾曲している。凹面鏡３０は、凹状の曲面を有する合成樹脂製の基材にアルミニウム等の金属製の反射材が蒸着されることにより形成される。凹面鏡３０は、平面鏡ユニット２０で反射した表示光Ｌをフロントガラス２０１に向けて拡大させつつ反射させる。また、凹面鏡３０は、凹面鏡駆動ユニット４０により、図２の紙面垂直方向に延びる回転軸Ａｘを中心に回転可能に構成されている。  凹面鏡駆動ユニット４０は、凹面鏡３０を回転軸Ａｘを中心に回転させる。
【００１５】  図２及び図３に示すように、筐体６０は、非透光性の樹脂又は金属で形成されるとともに、中空の略直方体をなす。筐体６０内には、ヘッドアップディスプレイ装置１００の各構成が収納されている。筐体６０は、上方向に向けて開口する箱状をなす下ケース６０ｂと、下ケース６０ｂの開口部を塞ぐ上ケース６０ａと、を備える。上ケース６０ａには、フロントガラス２０１に対向する位置に開口部６１が形成されている。上ケース６０ａは、開口部６１を塞ぐ湾曲板状の窓部５０を備える。窓部５０は、表示光Ｌが透過するアクリル等の透光性の樹脂からなる。
【００１６】  図４に示すように、上ケース６０ａは、開口部６１の縁部に位置し、遮光性の樹脂により形成される遮光壁部６５を備える。遮光壁部６５は、Ｘ方向に長い長方形板状をなす。遮光壁部６５の下端部は、Ｚ方向において、平面鏡ユニット２０の鏡面２８ａの上端に重なる。これにより、鏡面２８ａの上端は、遮光壁部６５により隠される。遮光壁部６５は、鏡面２８ａの上端を隠す見切り材としての機能に加えて、迷光が表示光Ｌの光路に進入することを抑制する機能を有する。
【００１７】  図６に示すように、下ケース６０ｂは、上方向及び裏方向に向けて開口した箱状をなす。下ケース６０ｂは、平面鏡ユニット２０を支持する支持部６２ａ，６２ｂを備える。支持部６２ａ，６２ｂは、三角錐状をなし、表示部１０と平面鏡ユニット２０の間の表示光Ｌの光路を挟み込むようにＸ方向に沿って並ぶ。支持部６２ａ，６２ｂは、それぞれ、支持部６２ａ，６２ｂの裏側に位置する位置決め面６２ａ１，６２ｂ１と、光路側に位置する内側面６２ａ２，６２ｂ２と、を備える。位置決め面６２ａ１，６２ｂ１は、底辺がＸ方向に沿う略直角三角形状をなし、上方向に向かうにつれて裏側に近づく向きに傾斜している。
【００１８】  位置決め面６２ａ１には、２つの位置決めピン６２ｃ，６２ｄ及びビス穴６２ｈが形成されている。位置決めピン６２ｃは、位置決め面６２ａ１の上部に位置し、位置決め面６２ａ１に対して垂直に延びる円柱状をなす。位置決めピン６２ｄは、位置決め面６２ａ１の右下部に位置し、位置決め面６２ａ１に対して垂直に延びる円柱状をなす。ビス穴６２ｈは、位置決め面６２ａ１の中央に位置し、ビス６９ａ（図３参照）が螺合可能にねじが切られている。
【００１９】  図６に示すように、位置決め面６２ｂ１には、２つの位置決めピン６２ｅ，６２ｆ及びビス穴６２ｉが形成されている。位置決めピン６２ｅは、位置決め面６２ｂ１の上部に位置し、位置決め面６２ｂ１に対して垂直に延びる円柱状をなす。位置決めピン６２ｆは、位置決め面６２ｂ１の左下部に位置し、位置決め面６２ｂ１に対して垂直に延びる円柱状をなす。ビス穴６２ｉは、位置決め面６２ｂ１の中央に位置し、ビス６９ｂ（図３参照）が螺合可能にねじが切られている。
【００２０】  内側面６２ａ２，６２ｂ２は、底辺がＺ方向に沿う略二等辺三角形形状をなし、上方向及び表方向に向かうにつれて互いに離れる向きに傾斜する。内側面６２ａ２，６２ｂ２は光路に向けて露出する。
【００２１】  次に、平面鏡ユニット２０について詳細に説明する。  図６に示すように、平面鏡ユニット２０は、下ケース６０ｂにおける裏方向に向けて開口する開口部６０ｃを塞ぐように形成される。平面鏡ユニット２０（正確には、後述する鏡支持板２２の裏面）は、図３に示すように、ヘッドアップディスプレイ装置１００の外部に露出するように形成される。
【００２２】  詳しくは、図７に示すように、平面鏡ユニット２０は、平面鏡２８と、鏡ホルダ２７と、を備える。  平面鏡２８は、例えば、ポリカーボネート等の樹脂からなる基材にアルミニウムが積層されてなる。平面鏡２８は、下方向に向かうにつれてＸ方向の幅が小さくなる台形板状をなす。平面鏡２８は、平面鏡２８の表面に光を反射する鏡面２８ａを備える。
【００２３】  鏡ホルダ２７は、鏡面２８ａの中央部を露出させた状態で平面鏡２８を保持する。鏡ホルダ２７は、合成樹脂、例えば、ポリカーボネート（ＰＣ）とポリエチレンテレフタラート（ＰＥＴ）のポリマーアロイを用いて形成されている。また、鏡ホルダ２７は、例えば、その剛性を高めるために、このＰＣ／ＰＥＴポリマーアロイにグラスファイバーを１０％程度混合させて形成されてもよい。
【００２４】  図７に示すように、鏡ホルダ２７は、鏡支持部材２１と、前面フレーム２５と、を備える。  鏡支持部材２１は、平面鏡２８の裏面側に位置し、前面フレーム２５とともに平面鏡２８を保持する。詳しくは、鏡支持部材２１は、鏡支持板２２と、一対の突出部２３ａ，２３ｂと、を備える。鏡支持板２２は、平面鏡２８の裏面を含むように平面鏡２８の裏面よりも大きいサイズの長方形板状をなす。
【００２５】  鏡支持板２２は、鏡支持板２２の表面に４つの両面テープ保持凹部２２ａ，２２ｂ，２２ｃ，２２ｄを有する。両面テープ保持凹部２２ａ，２２ｂ，２２ｃ，２２ｄには、鏡支持部材２１の表面と平面鏡２８の裏面を接着するための両面テープ２９が収容される。両面テープ保持凹部２２ａは、鏡支持板２２の上端でＸ方向の中央に位置し、Ｘ方向に長い長方形状をなす。両面テープ保持凹部２２ｂは、鏡支持板２２の下端でＸ方向の中央に位置し、Ｘ方向に長い長方形状をなす。両面テープ保持凹部２２ｃは、鏡支持板２２の右端でＹ方向の中央に位置し、Ｙ方向に長い長方形状をなす。両面テープ保持凹部２２ｄは、鏡支持板２２の左端でＹ方向の中央に位置し、Ｙ方向に長い長方形状をなす。両面テープ保持凹部２２ａは遮光壁部６５（図４参照）により隠される。両面テープ保持凹部２２ｂ，２２ｃ，２２ｄは前面フレーム２５により隠される。これにより、虚像Ｖに両面テープ２９が映り込むことが抑制される。
【００２６】  図７に示すように、一対の突出部２３ａ，２３ｂは、鏡支持板２２の表面に位置し、平面鏡２８を挟み込むようにＸ方向に沿って並ぶ。突出部２３ａは平面鏡２８の右側に位置し、突出部２３ｂは平面鏡２８の左側に位置する。突出部２３ａ，２３ｂは、表側に突出する三角錐状をなし、前面フレーム２５の後述する突出部２６ａ，２６ｂに嵌まるように形成される。  突出部２３ａ，２３ｂは、突出部２３ａ，２３ｂの表側に位置する位置決め面２３ａ１，２３ｂ１と、平面鏡２８側に位置する内側面２３ａ２，２３ｂ２と、を備える。内側面２３ａ２，２３ｂ２は、平面鏡２８におけるＸ方向の両端側の傾斜側面２８ｂ，２８ｃに沿うように、下方向に向かうにつれて鏡支持板２２におけるＸ方向の中央に近づくように傾斜する。突出部２３ａ，２３ｂの２つの内側面２３ａ２，２３ｂ２により平面鏡２８が支持される。  位置決め面２３ａ１，２３ｂ１は、略直角三角形状をなし、下方に向かうにつれてＸ方向の幅が大きくなりつつ裏側に近づくように形成される。
【００２７】  図８に示すように、突出部２３ａは、フック穴２３ｅと、ビス穴２３ｆと、位置決め穴２３ｇ，２３ｈと、係止部２３ｅ１と、を備える。  フック穴２３ｅは、位置決め面２３ａ１の上部の角部に位置し、Ｙ方向に長い長方形をなす貫通孔である。フック穴２３ｅは、後述するフック２６ｅ１（図１１参照）が通過するための穴である。
【００２８】  図９に示すように、係止部２３ｅ１は、フック穴２３ｅの縁から裏側に延びる。係止部２３ｅ１は、後述するフック２６ｅ１（図３及び図１１参照）に係止される。図８に示すように、ビス穴２３ｆは、位置決め面２３ａ１の中央に位置し、円形をなす貫通孔である。
【００２９】  位置決め穴２３ｇは、位置決め面２３ａ１の左下に位置し、有底筒状をなす。位置決め穴２３ｇには、筐体６０の位置決めピン６２ｄ（図６参照）が嵌合する。位置決め穴２３ｇは、位置決めピン６２ｄよりも大きい径を有する。
【００３０】  位置決め穴２３ｈは、位置決め面２３ａ１におけるフック穴２３ｅの上部に位置する円形の貫通孔である。位置決め穴２３ｈには、筐体６０の位置決めピン６２ｃ（図６参照）が嵌合する。位置決め穴２３ｈは、位置決めピン６２ｃと同等の穴径を有する。
【００３１】  図８に示すように、突出部２３ｂは、係止部２３ｍ１と、フック穴２３ｍと、ビス穴２３ｉと、位置決め穴２３ｊ，２３ｋと、を備える。
【００３２】  フック穴２３ｍは、位置決め面２３ｂ２の下部に位置し、Ｙ方向に長い長方形をなす。フック穴２３ｍは、後述するフック２６ｍ１（図１１参照）が通過するための穴である。図９に示すように、係止部２３ｍ１は、フック穴２３ｍの縁から裏側に延びる。係止部２３ｍ１は、後述するフック２６ｍ１（図３及び図１１参照）に係止される。
【００３３】  ビス穴２３ｉは、位置決め面２３ｂ１の中央に位置し、円形をなす貫通孔である。  位置決め穴２３ｋは、位置決め面２３ｂ１の下部、詳しくは、フック穴２３ｍの右側に位置する楕円形の貫通穴である。位置決め穴２３ｋは、右側に向かうにつれて上方向に近づくように傾斜した長穴に形成される。  位置決め穴２３ｊは、位置決め面２３ｂ１におけるビス穴２３ｉの上部に位置する有底筒状をなす。位置決め穴２３ｊには、位置決めピン６２ｅ（図６参照）が嵌合する。位置決め穴２３ｊは、位置決めピン６２ｅよりも大きい径を有する。
【００３４】  （前面フレーム２５）  図７に示すように、前面フレーム２５は、鏡支持部材２１の表側に位置し、平面鏡２８のＸ方向の両端と下端を覆う。詳しくは、前面フレーム２５は、一対の突出部２６ａ，２６ｂと、一対の挟持板部２５ａ，２５ｂと、連結部２５ｃと、を備える。  挟持板部２５ａ，２５ｂは、略直角三角形板状をなす。挟持板部２５ａ，２５ｂは、略直角三角形の直交する２辺のうち一方はＸ方向に沿い、その直交する２辺のうち他方はＹ方向に沿う向きをなす。挟持板部２５ａ，２５ｂはＸ方向に沿って並べられる。挟持板部２５ａ，２５ｂは、平面鏡２８のＸ方向の両端を鏡支持部材２１との間で挟み込む。挟持板部２５ａは平面鏡２８の右端部にＺ方向に対向して位置し、挟持板部２５ｂは平面鏡２８の左端部にＺ方向に対向して位置する。挟持板部２５ａ，２５ｂは、平面鏡２８のＸ方向の両端を隠す見切り材としても機能する。
【００３５】  連結部２５ｃは、挟持板部２５ａ，２５ｂを連結するようにＸ方向に延びる棒状をなす。連結部２５ｃは、挟持板部２５ａ，２５ｂの下端部を連結し、平面鏡２８の下端にＺ方向に対向して位置する。連結部２５ｃは、平面鏡２８の下端を隠す見切り材としても機能する。
【００３６】  突出部２６ａ，２６ｂは、表側に突出する三角錐状をなし、挟持板部２５ａ，２５ｂの斜辺に連結されるように位置する。突出部２６ａ，２６ｂは、表示光Ｌの光路を避けるように形成される。図１１に示すように、突出部２６ａ，２６ｂは、鏡支持部材２１の突出部２３ａ，２３ｂ（図８参照）が嵌まるように裏側に向けて開口する。突出部２６ａは挟持板部２５ａに隣接して位置し、突出部２６ｂは挟持板部２５ｂに隣接して位置する。
【００３７】  図１０に示すように、突出部２６ａ，２６ｂは、突出部２６ａ，２６ｂの表側に位置する位置決め面２６ａ１，２６ｂ１と、光路に向けて露出する内側面２６ａ２，２６ｂ２と、を備える。位置決め面２６ａ１，２６ｂ１は、略直角三角形状をなし、下方向に向かうにつれてＸ方向の幅が大きくなりつつ裏側に近づくように形成される。言い換えると、位置決め面２６ａ１，２６ｂ１は、鏡面２８ａに対する表示光Ｌの入射方向Ｌｉ（図５参照）に進むにつれて幅が小さくなるように形成される。入射方向Ｌｉは、図５に示すように、裏側に向かうにつれて上方向に向かう方向に延びる。
【００３８】  位置決め面２６ａ１，２６ｂ１は、筐体６０の支持部６２ａ，６２ｂの位置決め面６２ａ１，６２ｂ１（図５及び図６参照）に面接触する。突出部２６ａ，２６ｂの内側面２６ａ２，２６ｂ２は、支持部６２ａ，６２ｂの内側面６２ａ２，６２ｂ２と連続した同一平面上に位置する。これにより、光路に段差が生じることを抑制でき、ひいては、虚像Ｖの表示品位を向上させることができる。
【００３９】  図１０及び図１１に示すように、突出部２６ａは、フック穴２６ｅと、フック２６ｅ１と、ビス穴２６ｆと、位置決め穴２６ｇ，２６ｈと、を備える。  フック穴２６ｅは、位置決め面２６ａ１の上部に位置し、Ｙ方向に長い長方形をなす。フック２６ｅ１は、フック穴２６ｅの縁から裏側に延び、フック穴２６ｅを跨ぐＵ字状をなす。フック２６ｅ１は、鏡支持部材２１の係止部２３ｅ１（図３及び図９参照）に係止する。
【００４０】  ビス穴２６ｆは、位置決め面２６ａ１の中央に位置し、円形をなす貫通孔である。ビス穴２６ｆは、鏡支持部材２１のビス穴２３ｆ（図８参照）とＺ方向に並ぶように位置する。  位置決め穴２６ｇ，２６ｈは、内側面２６ａ２に沿うように位置決め面２６ａ１に並べられる。  位置決め穴２６ｇは、位置決め面２６ａ１の左下部に位置し、内側面２６ａ２に沿うように延びる長穴として形成される。位置決め穴２６ｇには、鏡支持部材２１の位置決め穴２３ｇ（図８参照）とＺ方向に並んだ状態で、位置決めピン６２ｄ（図６参照）が嵌合する。位置決め穴２６ｇが長穴で形成されることにより、平面鏡ユニット２０又は筐体６０に熱膨張を含む形状誤差等が発生した場合であっても、位置決めピン６２ｃ，６２ｄが位置決め穴２６ｇ，２６ｈに挿入可能となる。
【００４１】  位置決め穴２６ｈは、位置決め面２６ａ１におけるフック穴２６ｅの上部に位置し、円形をなす貫通孔である。位置決め穴２６ｈには、鏡支持部材２１の位置決め穴２３ｈ（図８参照）とＺ方向に並んだ状態で、位置決めピン６２ｃ（図６参照）が嵌合する。位置決め穴２６ｈは、位置決めピン６２ｃと同等の穴径を有する。
【００４２】  図１０及び図１１に示すように、突出部２６ｂは、フック穴２６ｍと、フック２６ｍ１と、ビス穴２６ｉと、位置決め穴２６ｊ，２６ｋと、を備える。
【００４３】  フック穴２６ｍは、位置決め面２６ｂ１の下部に位置し、正方形をなす。フック２６ｍ１は、フック穴２６ｍの縁から裏側に延び、フック穴２６ｍを跨ぐＵ字状をなす。フック２６ｍ１は、鏡支持部材２１の係止部２３ｍ１（図３及び図９参照）に係止する。
【００４４】  ビス穴２６ｉは、位置決め面２６ｂ１の中央に位置し、円形をなす貫通孔である。  位置決め穴２６ｊ，２６ｋは、内側面２６ｂ２に沿うように位置決め面２６ｂ１に並べられる。  位置決め穴２６ｋは、位置決め面２６ｂ１の下部、詳しくは、フック穴２６ｍの右側に位置する。位置決め穴２６ｋは、内側面２６ｂ２に沿うように延びる長穴として形成される。位置決め穴２６ｋには、鏡支持部材２１の位置決め穴２３ｋ（図８参照）とＺ方向に並んだ状態で、位置決めピン６２ｆ（図６参照）が嵌合する。位置決め穴２６ｋが長穴で形成されることにより、平面鏡ユニット２０又は筐体６０に熱膨張を含む形状誤差等が発生した場合であっても、位置決めピン６２ｅ，６２ｆが位置決め穴２６ｊ，２６ｋに挿入可能となる。
【００４５】  位置決め穴２６ｊは、位置決め面２６ｂ１におけるビス穴２６ｉの上方に位置する。位置決め穴２６ｊには、位置決め穴２３ｊ（図８参照）とＺ方向に並んだ状態で、位置決めピン６２ｅが嵌合する。  なお、平面鏡ユニット２０の位置決め穴２６ｇ，２６ｈ，２６ｊ，２６ｋは、鏡面２８ａよりも表側に位置する位置決め部の一例である。
【００４６】  （組み立て方法）  次に、平面鏡ユニット２０の組み立て方法について説明する。この組み立て作業は、例えば、作業員により行われる。  図７に示すように、まず、鏡支持板２２の両面テープ保持凹部２２ａ，２２ｂ，２２ｃ，２２ｄには、それぞれ両面テープ２９が設置される。そして、平面鏡２８が鏡支持部材２１の鏡支持板２２に設置される。これにより、平面鏡２８は鏡支持部材２１に接着される。  次に、前面フレーム２５が鏡支持部材２１に組み付けられる。このとき、前面フレーム２５の突出部２６ａ，２６ｂ内に鏡支持部材２１の突出部２３ａ，２３ｂが嵌まる。また、このとき、図３に示すように、フック２６ｅ１は鏡支持部材２１の係止部２３ｅ１に係止する。また、フック２６ｍ１は鏡支持部材２１の係止部２３ｍ１に係止する。これにより、前面フレーム２５が鏡支持部材２１に固定される。よって、図１２に示すように、平面鏡ユニット２０が一体となる。
【００４７】  そして、図６に示すように、平面鏡ユニット２０は、筐体６０の支持部６２ａ，６２ｂに取り付けられる。これにより、位置決めピン６２ｃが位置決め穴２３ｈ，２６ｈに、位置決めピン６２ｄが位置決め穴２３ｇ，２６ｇに、位置決めピン６２ｅが位置決め穴２３ｊ，２６ｊに、位置決めピン６２ｆが位置決め穴２３ｋ，２６ｋ（図１２参照）にそれぞれ嵌まる。これにより、平面鏡ユニット２０が筐体６０に位置決めされる。  最後に、図３に示すように、ビス６９ａが平面鏡ユニット２０のビス穴２３ｆ，２６ｆと筐体６０のビス穴６２ｈ（図６参照）に回し入れられる。また、ビス６９ｂが平面鏡ユニット２０のビス穴２３ｉ，２６ｉと筐体６０のビス穴６２ｉ（図６参照）に回し入れられる。これにより、平面鏡ユニット２０が筐体６０に固定される。
【００４８】  （効果）  以上、説明した一実施形態によれば、以下の効果を奏する。
【００４９】  （１）ヘッドアップディスプレイ装置１００は、表示光Ｌを出射する表示部１０と、表示部１０からの表示光Ｌを被投射部材の一例であるフロントガラス２０１に向けて反射させる鏡ユニットの一例である平面鏡ユニット２０と、平面鏡ユニット２０を保持する支持部６２ａ，６２ｂを有する筐体６０と、を備える。平面鏡ユニット２０は、表示光Ｌを反射する鏡面２８ａを含む鏡の一例である平面鏡２８と、平面鏡２８を保持する鏡ホルダ２７と、を備える。鏡ホルダ２７は、鏡面２８ａよりも表側に位置し、筐体６０の支持部６２ａ，６２ｂに対する平面鏡ユニット２０の位置を決める位置決め部の一例である位置決め穴２６ｇ，２６ｈ，２６ｊ，２６ｋを備える。  この構成によれば、位置決め部が鏡面２８ａよりも表側に位置するため、位置決め部により平面鏡ユニット２０の背面側が大型化することが抑制される。このため、ヘッドアップディスプレイ装置１００の小型化を図ることができる。
【００５０】  （２）鏡ホルダ２７の裏面は、ヘッドアップディスプレイ装置１００の外部に露出する。  この構成によれば、平面鏡ユニット２０の背面側に筐体６０が存在しなくなるため、ヘッドアップディスプレイ装置１００の小型化を図ることができる。
【００５１】  （３）鏡ホルダ２７は、位置決め穴２６ｇ，２６ｈ，２６ｊ，２６ｋを有し、鏡面２８ａに対して表側に向けて突出し、鏡面２８ａの両側に位置する一対の突出部２６ａ，２６ｂを備える。突出部２６ａ，２６ｂは、鏡面２８ａに対する表示光Ｌの入射方向Ｌｉに進むにつれて幅が小さくなるように形成される。  この構成によれば、表示光Ｌの光路のデッドスペースを使った強度の高い鏡ホルダ２７を実現することができる。
【００５２】  （４）筐体６０の支持部６２ａ，６２ｂは、表示光Ｌの光路に露出する筐体内側面の一例である内側面６２ａ２，６２ｂ２を備える。突出部２６ａ，２６ｂは、内側面６２ａ２，６２ｂ２と同一の平面上に内側面６２ａ２，６２ｂ２と連続するように形成され、表示光Ｌの光路に露出するホルダ内側面の一例である内側面２６ａ２，２６ｂ２を備える。  この構成によれば、表示光Ｌの光路に段差が生じることを抑制でき、これにより、虚像Ｖの表示品位を向上させることができる。
【００５３】  （５）筐体６０の支持部６２ａ，６２ｂは、複数の位置決めピン６２ｃ，６２ｄ，６２ｅ，６２ｆを有する。突出部２６ａ，２６ｂは、突出部２６ａ，２６ｂの表側に位置し、支持部６２ａ，６２ｂに面接触する位置決め面２６ａ１，２６ｂ１と、高さ方向であるＹ方向に対して傾斜し、表示光Ｌの光路に露出する内側面２６ａ２，２６ｂ２と、を備える。位置決め面２６ａ１，２６ｂ１には、複数の位置決めピン６２ｃ，６２ｄ，６２ｅ，６２ｆが嵌まり、内側面２６ａ２，２６ｂ２に沿って並ぶ第１の位置決め穴の一例である位置決め穴２６ｈ，２６ｊ及び第２の位置決め穴の一例である位置決め穴２６ｇ，２６ｋが形成される。位置決め穴２６ｈ，２６ｊは丸穴により形成され、位置決め穴２６ｇ，２６ｋは長穴により形成される。  この構成によれば、位置決め穴２６ｇ，２６ｋが長穴で形成されることにより、平面鏡ユニット２０又は筐体６０に熱膨張を含む形状誤差又は組み付け誤差が発生した場合であっても、位置決めピン６２ｃ，６２ｄ，６２ｅ，６２ｆが位置決め穴２６ｇ，２６ｈ，２６ｊ，２６ｋに挿入可能となる。
【００５４】  （６）一対の突出部２６ａ，２６ｂには、それぞれ２つずつ位置決め穴２６ｇ，２６ｈ，２６ｊ，２６ｋが形成される。この構成によれば、鏡ホルダ２７が位置決めピン６２ｃ，６２ｄ，６２ｅ，６２ｆにより支持される際、鏡面２８ａに力が加わることが抑制され、これにより、鏡面２８ａが歪むことが抑制される。
【００５５】  なお、本発明は以上の実施形態及び図面によって限定されるものではない。本発明の要旨を変更しない範囲で、適宜、変更（構成要素の削除も含む）を加えることが可能である。以下に、変形の一例を説明する。
【００５６】  （変形例）  上記実施形態においては、鏡ホルダ２７の裏面は、ヘッドアップディスプレイ装置１００の外部に露出していたが、鏡ホルダ２７の裏面側に筐体６０の壁部が位置していてもよい。
【００５７】  上記実施形態における平面鏡２８は凹面鏡であってもよい。また、平面鏡２８は、自由曲面により形成される鏡面２８ａを有していてもよい。また、平面鏡２８は台形板状で形成されていたが、これに限らず、長方形板状等で形成されてもよい。
【００５８】  上記実施形態における突出部２６ａ，２６ｂは、三角錐形状で形成されていたが、これに限らず、三角形柱状、長方形柱状又は円柱状等で形成されてもよい。  また、上記実施形態においては、突出部２６ａ，２６ｂは、下方向に向かうにつれてＸ方向の幅が大きくなるように形成されていたが、Ｙ方向においてＸ方向の幅が同一にとなるように形成されてもよいし、下方向に向かうにつれてＸ方向の幅が小さくなるように形成されてもよい。
【００５９】  上記実施形態においては、位置決め部は、位置決め穴２６ｇ，２６ｈ，２６ｊ，２６ｋであったが、これに限らず、位置決めピンであってもよい。この場合、支持部６２ａ，６２ｂには、位置決めピン６２ｃ，６２ｄ，６２ｅ，６２ｆに代えて、位置決め穴が設けられる。また、位置決め穴及び位置決めピンの位置、数及び形状は適宜変更可能である。  上記実施形態における鏡支持部材２１の位置決め穴２３ｇ，２３ｈ，２３ｊ，２３ｋは省略されてもよい。この場合、位置決めピン６２ｃ，６２ｄ，６２ｅ，６２ｆは、前面フレーム２５の位置決め穴２６ｇ，２６ｈ，２６ｊ，２６ｋのみに嵌合するように短く形成される。
【００６０】  上記実施形態においては、位置決め穴２６ｈ，２６ｊは丸穴により形成され、位置決め穴２６ｇ，２６ｋは長穴により形成されていたが、反対に、位置決め穴２６ｈ，２６ｊは長穴により形成され、位置決め穴２６ｇ，２６ｋは丸穴により形成されてもよい。また、位置決め穴２６ｇ，２６ｈ，２６ｊ，２６ｋは全て丸穴又は長穴により形成されてもよい。
【００６１】  上記実施形態においては、突出部２６ａ，２６ｂの内側面２６ａ２，２６ｂ２と筐体６０の内側面６２ａ２，６２ｂ２とが同一平面上に形成されていたが、内側面２６ａ２，２６ｂ２と内側面６２ａ２，６２ｂ２の間に段差が形成されていてもよい。
【００６２】  上記実施形態においては、ヘッドアップディスプレイ装置１００は車両２００に搭載されていたが、車両２００以外の飛行機、船等の乗り物に搭載されていてもよい。また、投射部材はフロントガラスに限らず、専用のコンバイナであってもよい。
【００６３】  上記実施形態においては、表示部１０は平面鏡ユニット２０の下方に位置していたが、これに限らず、平面鏡ユニット２０の上方に位置していてもよい。この場合、平面鏡ユニット２０は上下逆さまに設けられてもよい。これにより、位置決め面２３ａ１，２３ｂ１，２６ａ１，２６ｂ１は、下方向に向かうにつれてＸ方向の幅が小さくなる。
【符号の説明】
【００６４】１０  表示部２０  平面鏡ユニット２１  鏡支持部材２２  鏡支持板２２ａ，２２ｂ，２２ｃ，２２ｄ  両面テープ保持凹部２３ａ，２３ｂ，２６ａ，２６ｂ  突出部２３ａ１，２３ｂ１，２６ａ１，２６ｂ１  位置決め面２３ａ２，２３ｂ２，２６ａ２，２６ｂ２  内側面２３ｅ，２３ｍ，２６ｅ，２６ｍ  フック穴２３ｅ１，２３ｍ１  係止部２３ｆ，２３ｉ，２６ｆ，２６ｉ，６２ｈ，６２ｉ  ビス穴２３ｇ，２３ｈ，２３ｊ，２３ｋ，２６ｇ，２６ｈ，２６ｊ，２６ｋ  位置決め穴２５  前面フレーム２５ａ，２５ｂ  挟持板部２５ｃ  連結部２６ｅ１，２６ｍ１  フック２７  鏡ホルダ２８  平面鏡２８ａ  鏡面２８ｂ，２８ｃ  傾斜側面２９  両面テープ３０  凹面鏡４０  凹面鏡駆動ユニット５０  窓部６０  筐体６０ａ  上ケース６０ｂ  下ケース６０ｃ，６１  開口部６２ａ，６２ｂ  支持部６２ａ１，６２ｂ１  位置決め面６２ａ２，６２ｂ２  内側面６２ｃ，６２ｄ，６２ｅ，６２ｆ  位置決めピン６５  遮光壁部６９ａ，６９ｂ  ビス１００  ヘッドアップディスプレイ装置２００  車両２０１  フロントガラス
【図１】
2020059621.tif 000003
【図２】
2020059621.tif 000004
【図３】
2020059621.tif 000005
【図４】
2020059621.tif 000006
【図５】
2020059621.tif 000007
【図６】
2020059621.tif 000008
【図７】
2020059621.tif 000009
【図８】
2020059621.tif 000010
【図９】
2020059621.tif 000011
【図１０】
2020059621.tif 000012
【図１１】
2020059621.tif 000013
【図１２】
2020059621.tif 000014
【国際調査報告】
2020059621.tif 000015
2020059621.tif 000016
2020059621.tif 000017
2020059621.tif 000018